(57)【特許請求の範囲】
【請求項１】
地中に埋設する基礎ブロック体と、風力または太陽エネルギーを電力に変換する発電装置と、基礎ブロック体に下端部を固定した発電装置の支柱と、電力を蓄える蓄電池ボックスとを備え、基礎ブロック体は蓄電池ボックスを収納し且つ開閉自在な蓋を地上に露出する位置に設けた収納部と、基礎ブロック体を貫通し且つ収納部の内部と基礎ブロック体の外部とを連通する排水通路とを有し、支柱の内部と収納部の内部とは、上端が支柱の上下方向中間部に位置し且つ下端が収納部内に位置する通線パイプで連通してあり、発電装置と蓄電池ボックスとを繋ぐ電線を通線パイプ内に配置し、排水通路は収納部内に侵入した水を基礎ブロック体の外部に排水自在であることを特徴とする支柱構造体。
【発明の詳細な説明】
【０００１】
【発明の属する技術分野】
本発明は、基礎ブロック体に支柱を立設した支柱構造体に関するものである。
【０００２】
【従来の技術】
係る支柱構造体として、風力発電機又は太陽電池を支柱の上部に設け、発電した電力を蓄電池ボックスに蓄電するものがある。このような支柱構造体では、蓄電池ボックスを支柱の脇に露出して設ける場合が多く、景観上好ましくなかった。
一方、特開平１０―１５２８４６号公報には、街路灯等の支柱を立設する基礎ブロック内に、制御ボックスの収納部を設ける技術が開示されている。
【０００３】
【発明が解決しようとする課題】
風力発電機等の発電装置を有す支持構造体において、支柱近くに設ける蓄電池ボックスを外から見えなくするために、上述した公報に開示の技術のように、単に基礎ブロックに収納部を設けて蓄電池ボックスを埋めることが考えられるが、収納部の蓋の周囲等から収納部内に雨水が浸水して蓄電池が水に浸るおそれがある。また、蓄電池を基礎ブロック体の収納部に設けたとき、蓄電時には蓄電池から水素等のガスが発生するため、このガスを排気するための排気ダクトを設ける必要があるが、この排気ダクトの先端から雨水が流入するおそれがある。
本発明の課題は、蓄電池ボックスを基礎ブロック内に収納することで、外観を向上すると共に、雨水等から蓄電池ボックスを保護できる支柱構造体を提供することである。
【０００４】
【課題を解決するための手段】
請求項１に記載の発明は、地中に埋設する基礎ブロック体と、風力または太陽エネルギーを電力に変換する発電装置と、基礎ブロック体に下端部を固定した発電装置の支柱と、電力を蓄える蓄電池ボックスとを備え、基礎ブロック体は蓄電池ボックスを収納し且つ開閉自在な蓋を地上に露出する位置に設けた収納部と、基礎ブロック体を貫通し且つ収納部の内部と基礎ブロック体の外部とを連通する排水通路とを有し、支柱の内部と収納部の内部とは、上端が支柱の上下方向中間部に位置し且つ下端が収納部内に位置する通線パイプで連通してあり、発電装置と蓄電池ボックスとを繋ぐ電線を通線パイプ内に配置し、排水通路は収納部内に侵入した水を基礎ブロック体の外部に排水自在であることを特徴とする。
【０００５】
この請求項１に記載の発明では、発電時には、風力または太陽エネルギーにより発電した電力は、発電装置が取り付けられている支柱及び通線パイプ内に配線された電線を伝って、蓄電池に蓄電される。蓄電池の蓄電中に発生したガスは、通線パイプを通って支柱の上下方向の中間部にある先端から、大気中に放出される。蓄電池ボックスを地下に収納した場合に、蓄電池から発生する排気ガスの排出路となる通線パイプの先端が、支柱の内部に収まっているので、通線パイプの先端から雨水が流入することを防ぐことができる。
また、雨が降った場合に、蓋の周囲にある隙間等から雨水が収納部内に浸入した場合には、収納部内に浸入した雨水は、排水通路を通って基礎ブロックの外部に排出される。従って、蓄電池ボックスの収納部内に水が浸入した場合でも、蓄電池ボックスが水に浸かるのを防止できる。
電線を支柱から通線パイプを通って収納部内の蓄電池に接続しているので、電線が露出せず、外観が良いと共に電線の劣化を防止できる。
蓄電池ボックスを基礎ブロック内に収納することで、蓄電池ボックスが外部に露出しないので、外観が良い。
【０００６】
【発明の実施の形態】
以下に本発明の実施例を図面に基づいて具体的に説明する。
図１は、本発明の第１実施の形態に係る支柱構造体を側面から見た断面図、図２は図１に示す支柱構造体の正面側から見た断面図、図３は図２に示す支柱構造体の支柱を示し、（ａ）は支柱の下部の正面図であり、（ｂ）は（ａ）のＡ−Ａ位置での横断面図である。図４は、第２実施の形態に係る支柱構造体の正面側から見た断面図である。尚、図４において（ａ）で抜き出して示すのは、フェンスの上弦材の縦断面図であり、（ｂ）で抜き出して示すのは、照明灯の縦断面図である。
第１実施の形態に係る支柱構造体１は、護岸に設置されるものであり、基礎ブロック体３と、基礎ブロック体３に立設された支柱５からなり、支柱５の頂部には、風力発電装置７が設けられている。また、風力発電装置７の下には、照明灯１９が設けられている。
支柱５は、断面円形状であり、フェンス２３の柱を兼ねており、フェンス２３の上弦材２３ａ、中弦材２３b、下弦材２３ｃが支柱５に夫々ネジ２５で固定されている。
支柱５の下部は、アンカーボルト２９により基礎ブロック体３に固定されている。
基礎ブロック体３には、支柱５の近傍に略直方体状の収納部１３が設けられており、また収納部１３にはヒンジ２２を介して開閉自在な蓋２１が設けられている。蓋２１は、コンクリート製であり、収納部１３の地上に露出する位置に設けられている。
収納部１３内には、コントロールパネルを供えた蓄電池ボックス９が配置され、この蓄電池ボックス９内には、蓄電池１０が設けられており、風力発電装置７で発電した電力を蓄電する。蓄電池１０としては、鉛蓄電池や、ニッケルカドミウム蓄電池等の二次電池が使用される。このように、地下（基礎ブロック体３内）に蓄電池ボックス９を設けることにより、地上に設置スペースを別途設ける必要がないとともに、蓄電池ボックス９を地上に設けないので、周辺の景観を害することがない。更に、地上に設置する場合には、蓄電池ボックス９の意匠を良くするために塗装等を施すことになるが、地下に設置するので塗装等を施す必要がない。
基礎ブロック体３には、収納部１３内に浸入した水を排水するための排水通路１５が設けられており、この排水通路１５は収納部１３の底に開口した排水口３３から、基礎ブロック３内を貫通して、基礎ブロック３の外に開口されている。また、排水通路１５は収納部１３の排水口３３の方が高く、基礎ブロック３外側の排水口３５を低くして傾斜している。このように、排水通路１５が傾斜しているため、海水等の水が基礎ブロック体３の外側から排水通路１５を逆流して収納部１３内に浸入し難い。
また、収納部１３と支柱５とを繋ぐ通線パイプ１７内には発電装置７で発生した電力を蓄電池１０へ送電する電線と、蓄電池１０内の電力を照明灯１９へ送電する電線が配置されている。また、通線パイプ１７の上端部１７ａは、支柱５の上下方向に対して中間位置まで設けられている。通線パイプ１７の下端部１７ｂは収納部１３内を通って、蓄電池ボックス９に接続されている。充電中に蓄電池１０から発生する水素等のガスが、この通線パイプ１７を通って支柱５を介して大気中に放出される。このように、通線パイプ１７を利用して水素等のガスを排出することができるので、別途排出パイプを設ける必要がない。
【０００７】
次に、上記した構成に基づき、本実施の形態の作用を説明する。電力を蓄電池１０に蓄電する際、風力発電装置７で発電された電力は、支柱５内の電線を伝って、収納部１３の蓄電ボックス９内の蓄電池１０に蓄電される。蓄電中には、蓄電池１０から水素等のガスが発生する。発生したガスは、蓄電池ボックス９内から通線パイプ１７を通過し、支柱５から大気中に放出される。従って、蓄電中に発生したガスが蓄電池ボックス９内にこもらない。また、通線パイプ１７の先端が、支柱５内に収まっているので、通線パイプ１７の先端から雨水が通線パイプ１７を通って流入するのを防止できる。これにより、通線パイプ１７から収納部１３への雨水の流入や、通線パイプ１７内の電線の腐食を防止できる。
一方、夜間になると、蓄電池１０に蓄電された電力により照明灯１９を点灯させる。照明灯１９の点灯時には、蓄電池１０の電力が通線パイプ１７内及び支柱５内に配線された電線により供給される。
また、雨が降って雨水が蓋２１の周囲の隙間等から収納部１３内に浸入した場合でも、浸入した水は、排水通路１５を通って基礎ブロック３外に排水され、蓄電池ボックス９が水に浸かることがない。
【０００８】
次に、他の実施の形態を説明するが、その説明にあたり上述した部分と同一の作用効果を奏する部分には、同一の符号を付することにより、その部分の詳細な説明を省略し、以下の説明では、主に第１実施の形態と異なる点を説明する。
第２実施の形態では、風力発電装置７に代えて太陽電池４１（発電装置）を用いるとともに、支柱５が太陽電池４１を直接支えるのでなく、太陽電池４１を取り付けたフェンス２３の支柱としている。即ち、本発明の支柱構造体１には、フェンスや塀等のように支柱とその付属物からなるものも含む。
上弦材２３ａの上部には、上弦材２３ａの長手方向に沿って太陽電池４１が多数枚設けられており、また、上弦材２３ａの下部には、フェンス２３の長手方向に沿って照明灯４３が設置されている。照明灯４３はＬＥＤと、ＬＥＤで発光した光の導光部４７と、導光部４７の外側を覆う照明カバー４９とからなり、導光部４７によりフェンス２３に沿って光を照らしている。
第２実施の形態では、昼間に太陽電池４１で発電した電力は、収納部１３の蓄電ボックス９内の蓄電池１０に蓄電される。そして、夜間になると蓄電池１０に蓄電された電力により照明灯４３を点灯させる。
【０００９】
本発明は、上述のようなの実施の形態に限定されず、その要旨を逸脱しない範囲内において種々の変形が可能である。例えば、上述の実施の形態では支柱５にフェンス２３を取り付けるようにしたが、これに限定されず、フェンス２３用の支柱を別に立設して、支柱５とは別体にフェンスを取り付けるようにしても良い。
また、収納部１３の蓋２１はヒンジ２２により開閉自在としたが、蓋２１全体を手で持ち上げて開けられるようにしても良い。
蓋２１はコンクリート製としたが、これに限定されず、金属製でも良い。
通線パイプ１７の上端は支柱５内の上下方向の略中央に位置するようにしたが、支柱５の上端部と下端部との間であれば良く、通線パイプ１７の上端から雨水が流入しない位置まで立ち上がった位置であれば良い。
支柱構造体１に照明灯１９又は照明灯４３を備える構成としたが、これに限定されず、照明灯１９等の代わりに時計等の他の電気駆動機器を備えるものでも良いし、支柱５に照明灯１９等の電気駆動機器を設けずに、支柱５とは別途に設けた電気駆動機器に電力を供給するものでも良い。
排水通路１５には、基礎ブロック３の外から収納部１３内部に向かって雨水が逆流しないように逆止弁を設けても良い。
通線パイプ１７の下端部１７ｂは蓄電池ボックス９に接続する構成としたが、これに限定されず、通線パイプ１７の下端部１７ｂを収納部１３に接続する構成としても良い。この場合、蓄電池ボックス９から漏れた水素等のガスを通線パイプ１７を介し、支柱５から大気中に放出できる。
【００１０】
【発明の効果】
請求項１に記載の発明では、蓄電池ボックスを地下に収納した場合に、蓄電池から発生するガスの排出路となる通線パイプの先端が、支柱の内部に収まっているので、通線パイプの先端から雨水が流入することを防ぐことができる。
また、蓄電池ボックスの収納部内に水が浸入した場合でも、排水通路により排水するので、蓄電池ボックスの周りが水に浸かるのを防止できる。
発電装置と蓄電池とを繋ぐ電線が支柱と、支柱と収納部とを繋ぐ通線パイプ内に収まっているので、電線が外部に露出せず外観が良いとともに、電線が腐食しにくい。
蓄電池ボックスを基礎ブロック内に収納することで、蓄電池ボックスが外部に露出しないので、外観が良い。
【図面の簡単な説明】
【図１】本発明の実施の形態に係る支柱構造体の側面側から見た断面図である。
【図２】図１に示す支柱構造体の正面側から見た断面図である。
【図３】図２に示す支柱構造体の支柱を示し、（ａ）は支柱の下部の正面図であり、（ｂ）は（ａ）のＡ−Ａ位置での横断面図である。
【図４】第２実施の形態に係る支柱構造体の正面側から見た断面図である。
【符号の説明】
１          支柱構造体
３          基礎ブロック体
５          支柱
７          発電装置
９          蓄電池ボックス
１３        収納部
１５        排水通路
１７        通線パイプ
１７ａ      通線パイプの上端
２１        蓋
【図１】
0003753092.tif 000002
【図２】
0003753092.tif 000003
【図３】
0003753092.tif 000004
【図４】
0003753092.tif 000005